(57)【要約】【課題】暗部の発生を回避し、且つ短時間で光源ユニットを製造し、製造費用を削減することができる表示装置及び該表示装置を備えるテレビジョン受信機を提供する。【解決手段】発光ダイオード４２と共に雌型コネクタ４３を基板４１に実装して、光源ユニット４０を短時間で製造し、また雌型コネクタ４３を発光ダイオード４２の列から外して基板４１の一面に実装し、略均一な光量で光源ユニット４０から光を出射して、表示パネル１０に暗部が生じることを防止することができる構成とした。【選択図】図３
2013179027.tif 000002
【特許請求の範囲】
【請求項１】
映像を表示する表示パネルと、該表示パネルに対向する導光板と、該導光板の縁部分に沿って延設してあり、該導光板の縁部分に一面が対向する基板と、該基板の前記一面にて前記導光板の縁部分に沿って並設してあり、前記導光板に向けて光を出射する複数の光源と、該光源を駆動する駆動部と、前記基板に設けてあり、前記光源及び駆動部を接続するコネクタとを備える表示装置において、
前記コネクタを、前記基板の前記一面に前記光源の並設方向に交差する方向に沿って実装してあるか又は前記基板の他面に実装してあること
を特徴とする表示装置。
【請求項２】
前記基板の一縁側に偏倚するように前記光源を並設してあること
を特徴とする請求項１に記載の表示装置。
【請求項３】
前記基板は矩形状をなし、
前記基板の両端部に前記コネクタを設けてあること
を特徴とする請求項１又は２に記載の表示装置。
【請求項４】
一面側が前記導光板に対向し、他面側にて前記駆動部を支持する支持板を備えており、
前記支持板に前記コネクタが露出する開口が設けてあること
を特徴とする請求項１から３のいずれか一つに記載の表示装置。
【請求項５】
前記基板を複数備えており、
複数の前記基板にそれぞれ実装してある複数のコネクタが前記開口から露出するようにしてあること
を特徴とする請求項４に記載の表示装置。
【請求項６】
前記支持板は前記他面側に突出した段状部を有しており、
該段状部における前記他面側に突出した角部分に前記開口を設けてあること
を特徴とする請求項４又は５に記載の表示装置。
【請求項７】
前記光源は発光ダイオードであること
を特徴とする請求項１から６のいずれか一つに記載の表示装置。
【請求項８】
請求項１から７のいずれか一つに記載の表示装置と、
テレビジョン放送を受信する受信部と
を備え
該受信部にて受信したテレビジョン放送に基づいて、前記表示装置に映像を表示するようにしてあることを特徴とするテレビジョン受信機。
【発明の詳細な説明】
【技術分野】
【０００１】
本発明は表示パネルの背面側に導光板を配置し、該導光板の縁部分に対向する光源から光を出射するようにしてある表示装置及び該表示装置を備えるテレビジョン受信機に関する。
【背景技術】
【０００２】
薄型の表示装置、例えば液晶表示装置は、設置面積に比べて表示面積が大きいことから一般に広く普及している。近年、消費電力の削減及び薄型化の観点から、直下型バックライトではなく、エッジ型バックライトを使用した液晶表示装置が多数製造されている。該液晶表示装置は、開口を有するキャビネット内に設けた液晶の表示パネルと、該表示パネルの背面側に配置された導光板と、該導光板の縁部分に対向して設けられた光源ユニットとを備える。
【０００３】
光源ユニットとして、例えば特許文献１に記載されているような光源ユニットを表示装置に搭載することができる。特許文献１に記載の光源ユニットは、矩形の細長い基板と、該基板の一面に、基板の長手方向に沿って並設された複数の発光ダイオード(ＬＥＤ：Light Emitting Diode)と、該発光ダイオード及び駆動回路を接続するコネクタとを備える。コネクタは基板の長辺に設けてあり、発光ダイオードが設けられた基板の一面上に位置しない。基板の一面に設けた発光ダイオードを導光板の縁部分に対向するように、光源ユニットを配置する。
【０００４】
これに対しコネクタが前記一面上に位置する場合、導光板におけるコネクタに対向する部分には光が供給されないので、コネクタに対応する部分の光量は発光ダイオードに対応する部分に比べて少なく、表示パネルに暗部が生じる。特許文献１に記載された光源ユニットは、上述したようにコネクタが基板の一面上に無いので、前記光源ユニットを搭載した表示装置には暗部が生じない。
【先行技術文献】
【特許文献】
【０００５】
【特許文献１】特開２０１１−２３２２７号公報
【発明の概要】
【発明が解決しようとする課題】
【０００６】
特許文献１に記載の光源ユニットは、発光ダイオードを表面実装した後、コネクタを基板の長辺に設けるため、二つの工程が必要となり、製造に長時間を要し、延いては表示装置の製造費用が嵩むことになる。
【０００７】
本発明は斯かる事情に鑑みてなされたものであり、暗部の発生を回避し、且つ短時間で光源ユニットを製造し、製造費用を削減することができる表示装置及び該表示装置を備えるテレビジョン受信機を提供することを目的とする。
【課題を解決するための手段】
【０００８】
本発明に係る表示装置は、映像を表示する表示パネルと、該表示パネルに対向する導光板と、該導光板の縁部分に沿って延設してあり、該導光板の縁部分に一面が対向する基板と、該基板の前記一面にて前記導光板の縁部分に沿って並設してあり、前記導光板に向けて光を出射する複数の光源と、該光源を駆動する駆動部と、前記基板に設けてあり、前記光源及び駆動部を接続するコネクタとを備える表示装置において、前記コネクタを、前記基板の前記一面に前記光源の並設方向に交差する方向に沿って実装してあるか又は前記基板の他面に実装してあることを特徴とする。
【０００９】
本発明においては、光源と共にコネクタを前記基板に実装し、光源、コネクタ及び基板を有する光源ユニットを短時間で製造する。またコネクタを、基板の一面において、並設された光源の列から外れた位置に実装するか又は他面に実装し、表示パネルに暗部が生じることを防ぐ。
【００１０】
本発明に係る表示装置は、前記基板の一縁側に偏倚するように前記光源を並設してあることを特徴とする。
【００１１】
本発明においては、前記基板の一縁側に対向する他縁側には光源を配していないので、前記他縁部分から光源にて発生した熱が放出され、放熱効率が向上する。
【００１２】
本発明に係る表示装置は、前記基板は矩形状をなし、前記基板の両端部に前記コネクタを設けてあることを特徴とする。
【００１３】
一般にコネクタと配線とは一方向から接続するように構成されている。例えば基板の長手方向に直角な方向からコネクタと配線とが接続するようにしてあり、基板の一端部にのみコネクタが実装してある場合、基板の他端部側に位置する配線は、一端部側に引き回さなければならず、作業が繁雑となる。仮に基板の両端部の位置を入れ替えても、コネクタの接続方向が逆向きになるので、配線が非常に困難となる。例えば基板が左右方向に延びており、コネクタが左端部にのみ設けてあって、コネクタは背面側から配線を接続するようにしてある場合、左右を入れ替えて基板を配置すると、コネクタは右端部に位置するものの、コネクタは正面側から配線を接続しなければならない。そのため基板の一方の端部にのみコネクタを設ける場合、配線の取り回しを容易にするためには、一端部にコネクタを設けた基板及び他端部にコネクタを設けた基板の二種類を準備する必要がある。
本発明においては、基板の両端部にコネクタを設けているので、いずれかのコネクタに配線を接続すればよく、配線の位置に拘わらず、配線の取り回しが容易になる。また一種類の基板を製造すれば足り、二種類の基板を製造する場合に比べて、製造費用が削減される。
【００１４】
本発明に係る表示装置は、一面側が前記導光板に対向し、他面側にて前記駆動部を支持する支持板を備えており、前記支持板に前記コネクタが露出する開口が設けてあることを特徴とする。
【００１５】
本発明においては、支持板の一面側に配置されたコネクタを前記開口から他面側に露出させて、支持板の他面側に支持された駆動部とコネクタとを配線を介して容易に接続する。
【００１６】
本発明に係る表示装置は、前記基板を複数備えており、複数の前記基板にそれぞれ実装してある複数のコネクタが前記開口から露出するようにしてあることを特徴とする。
【００１７】
本発明においては、複数のコネクタが単一の開口から露出するので、コネクタの数に対し、開口の数が少なくなる。
【００１８】
本発明に係る表示装置は、前記支持板は前記他面側に突出した段状部を有しており、該段状部における前記他面側に突出した角部分に前記開口を設けてあることを特徴とする。
【００１９】
本発明においては、前記他面側に突出した角部分に開口を設けてあり、他面側及び他面に垂直な方向からのコネクタの接続が容易になる。
【００２０】
本発明に係る表示装置は、前記光源は発光ダイオードであることを特徴とする。
【００２１】
本発明においては、発光ダイオード及びコネクタを基板に実装し、製造費用の削減を実現する。
【００２２】
本発明に係るテレビジョン受信機は、上述したいずれか一つの表示装置と、テレビジョン放送を受信する受信部とを備え、該受信部にて受信したテレビジョン放送に基づいて、前記表示装置に映像を表示するようにしてあることを特徴とする。
【００２３】
本発明においては、上述したいずれか一つの表示装置と受信部とによって、テレビジョン受信機を製造する。
【発明の効果】
【００２４】
本発明にあっては、光源と共にコネクタを前記基板に実装するので、光源、コネクタ及び基板を有する光源ユニットを短時間で製造することができる。またコネクタを光源の列から外して基板の一面に実装するか又は他面に実装し、表示パネルに暗部が生じることを防止することができ、製造費用の削減及び暗部発生防止の両者を実現することができる。
【図面の簡単な説明】
【００２５】
【図１】実施の形態１に係るテレビジョン受信機を略示する斜視図である。
【図２】後キャビネットを取り外したテレビジョン受信機の略示背面図である。
【図３】図２において示したＩＩＩ−ＩＩＩ線での略示部分拡大断面図である。
【図４】光源ユニットを略示する平面図である。
【図５】リヤシャーシの開口付近を略示する拡大斜視図である。
【図６】リヤシャーシの一部を破断してテレビジョン受信機を略示する部分破断拡大斜視図である。
【図７】光源ユニットの回路構成を略示する回路図である。
【図８】異常検出回路の構成を略示する回路図である。
【図９】実施の形態２に係る光源ユニットを略示する平面図である。
【図１０】実施の形態３に係る光源ユニットを略示する側面図である。
【図１１】光源ユニットを略示する平面図である。
【図１２】実施の形態４に係るテレビジョン受信機を略示する部分拡大断面図である。
【図１３】実施の形態５に係るテレビジョン受信機の光源ユニットを略示する平面図である。
【発明を実施するための形態】
【００２６】
（実施の形態１）
以下本発明を実施の形態１に係るテレビジョン受信機を示す図面に基づいて詳述する。図１は、テレビジョン受信機を略示する斜視図である。
【００２７】
図において１はテレビジョン受信機であり、該テレビジョン受信機１は、映像を表示する表示装置１００と、該表示装置１００内に配設してあり、アンテナ（不図示）から放送波（テレビジョン放送）を受信するチューナ（受信部）２００と、表示装置１００内に配設してあり、符号化された放送波を復号するデコーダ３００とを備える。テレビジョン受信機１は、チューナ２００にて受信した放送波をデコーダ３００で復号し、復号した情報に基づいて表示装置１００に映像を表示する。なおチューナ２００及びデコーダ３００を表示装置１００の外部に設けて、表示装置１００に接続してもよい。
【００２８】
表示装置１００は液晶を有する矩形の表示パネル１０を備えており、該表示パネル１０は液晶への印加電圧を制御して光の透過率を調整するように構成されている。表示パネル１０は、正面側及び背面側にそれぞれ配置された前キャビネット２０及び後キャビネット３０内に、縦向きに収容されている。前キャビネット２０は矩形の枠状をなし、その中央部に矩形の開口２０ａを有する。前キャビネット２０は、例えばアルミニウム部材からなる。後キャビネット３０は、正面側が開放された矩形のトレイ状をなし、例えば電気亜鉛めっき鋼板からなる。前キャビネット２０及び後キャビネット３０を金属にすることによって、効率の良い放熱を実現し、また両者の熱膨張係数の差を小さくして歪みの発生を防止することができる。なお前キャビネット２０及び後キャビネット３０を樹脂部材によって構成してもよい。
【００２９】
正背面方向に直交する二方向（横方向及び縦方向）において、前キャビネット２０及び後キャビネット３０の寸法は略同じであり、互いの周縁部分が対向する。表示パネル１０の横及び縦寸法は、前記開口２０ａよりも若干大きく、表示パネル１０の周縁部分は前キャビネット２０の内縁部分に対向している。
【００３０】
図２は、後キャビネットを取り外したテレビジョン受信機１の略示背面図、図３は、図２において示したＩＩＩ−ＩＩＩ線での略示部分拡大断面図、図４は、光源ユニット４０を略示する平面図である。
【００３１】
図３に示すように、表示パネル１０の背面に矩形の導光板１１が対向している。導光板１１の正面には、集光及び光の拡散を行う複数の光学シート１２、１２、・・・、１２が重畳している。導光板１１は表示パネル１０及び光学シート１２よりも縦方向（上下方向）に延出している。図２及び図３に示すように、導光板１１における横方向に平行な両周縁部分に、それぞれ三つずつ光源ユニット４０が対向している。
【００３２】
光源ユニット４０は、前キャビネット２０に固定されたＬ形の放熱板１５に、複数のネジ（図示略）によって固定してある。
【００３３】
図４に示すように、光源ユニット４０は、アルミニウム部材による細長い矩形の基板４１を備えており、該基板４１の一面に複数の発光ダイオード４２、４２、・・・、４２が実装してある。発光ダイオード４２、４２、・・・、４２は、基板４１の一方の長辺部分にて長手方向に沿って一列に並設されており、前記一方の長辺側に偏倚している。基板４１は、従前の基板４１に比べて長手方向に直角な方向において幅広であり、前記一方の長辺に対向する他方の長辺側には、発光ダイオード４２が実装されていない非実装部分が存在する。該非実装部分の面積は、発光ダイオード４２を実装した部分と略同じか又はそれよりも大きい。非実装部分の中途部には、光源ユニット４０を識別するバーコードが付してある。発光ダイオード４２にて発生した熱は前記非実装部分を伝導し放出される。
【００３４】
前記非実装部分において、基板４１の両端部には雌型コネクタ４３、４３がそれぞれ実装してある。雌型コネクタ４３は、並設された発光ダイオード４２の列の隣に配してあり、発光ダイオード４２と同じ列にない。
【００３５】
すなわち雌型コネクタ４３は、発光ダイオード４２の並設方向に交差する方向に沿って、発光ダイオード４２の隣に配してあり、雌型コネクタ４３は発光ダイオード４２の列中にない。
【００３６】
非実装部分には前記複数のネジが挿通しており、放熱板１５に螺合している。基板４１を幅広に形成することによって、多数のネジを基板４１に挿入し、ネジの間のピッチを狭くして、基板４１と放熱板１５とを確実に密着させることができる。基板４１が熱膨張した場合に、基板４１の放熱板１５からの離反を防止することができる。
【００３７】
基板４１の幅が狭い場合、ＬＥＤ４２の間にネジを挿入することになる。この場合、ネジの数の増加によって輝度低下等が生じ、光学的な影響が発生する。そのためネジの数は制限され、基板４１の放熱板１５からの離反を防止することが難しい。
【００３８】
本実施例においては基板４１の非実装部分にネジを挿入しており、多数のネジによる光学的な影響の発生を回避することができる。
【００３９】
なおネジに代えて両面テープで基板４１を放熱板１５に固定してもよい。この場合においても基板４１が幅広なので、基板４１の幅が狭い場合に比べて基板４１における両面テープの占有面積が広くなり、基板４１の放熱板１５からの離反を防止することができる。
【００４０】
雌型コネクタ４３は、基板４１の前記他方の長辺側から雄型コネクタ５３が接続されるように基板４１の一面に配してあり、配線５２を介して後述する駆動回路５０に接続されている。
【００４１】
図３に示すように、前キャビネット２０内に基板４１を配してある。基板４１に実装した発光ダイオード４２、４２、・・・、４２の列は導光板１１の横方向に平行な周面（縁部分）に対向する。基板４１における他方の長辺側に延出した部分が背面側に位置する。
【００４２】
前述したように、雌型コネクタ４３は発光ダイオード４２と同じ列中になく、発光ダイオード４２、４２、・・・、４２の列が、導光板１１の前記周面全体に対向し、雌型コネクタ４３は導光板１１の前記周面に対向していない。
【００４３】
そのため導光板１１の周面に対し、略均一な光量で光源ユニット４０から光が出射され、雌型コネクタ４３によって光量が不均一になることを回避することができる。導光板１１は、その背面側に反射板１１ａを備えており、導光板１１に入射した発光ダイオード４２の光は拡散及び反射し、正面から出射される。
【００４４】
導光板１１及び光源ユニット４０の背面側に、板状のリヤシャーシ１７が設けてある。該リヤシャーシ１７は前キャビネット２０にネジ止めしてある。図２に示すように、リヤシャーシ１７は横長矩形をなす。リヤシャーシ１７は両長辺部分に段差部１７ｂをそれぞれ有する。段差部１７ｂは背面側に突出している。両長辺部分の段差部１７ｂにおいて、左右方向中央部に二つずつ開口１７ａ、１７ａが設けてある。図３に示すように、開口１７ａは段差部１７ｂの背面側に突出した角部分に設けてあり、開口１７ａの背面側及び下側が開放してある。
【００４５】
開口１７ａは、縦方向に平行なリヤシャーシ１７の両縦縁部分から、リヤシャーシ１７の横寸法の略１／３の距離だけ離れた箇所に開設してある。基板４１の長手方向寸法はリヤシャーシ１７の横寸法の略１／３である。三つの基板４１は横方向に平行なリヤシャーシ１７の横縁部分に沿って一列に並んでいる。
【００４６】
図３に示すように、反射板１１ａの上下端部は基板４１に接近している。導光板１１は表示パネル１０及び前キャビネット２０は開口２０ａの近傍に背面側に突出した突出部２０ｂを備える。開口２０ａの横方向縁部に沿う。突出部２０ｂは基板４１と表示パネル１０の上下端部との間に位置する。突出部２０ｂは導光板１１の正面に接触し、密着している。
【００４７】
開口１７ａから埃が進入しても、反射板１１ａ及び基板４１の間を通過することは困難である。仮に通過したとしても突出部２０ｂ及び導光板１１の間に埃が通過できる隙間が無く、導光板１１よりも前側に埃が進入することはない。
【００４８】
図５は、リヤシャーシ１７の開口１７ａ付近を略示する拡大斜視図、図６は、リヤシャーシ１７の一部を破断してテレビジョン受信機１を略示する部分破断拡大斜視図である。図５及び図６に示すように、隣接する二つの基板４１の端部に実装された各雌型コネクタ４３は開口１７ａ内に位置し、開口１７ａを介して背面側に露出している。
【００４９】
図２に示すように、リヤシャーシ１７の背面には、発光ダイオード４２を駆動する駆動回路５０、表示パネル１０の液晶を駆動する液晶コントローラ６０及び画像処理を行うメイン基板７０が並設してある。駆動回路５０から６対の配線５２が延出しており、各配線５２の延出端部には雄型コネクタ５３が設けてある。
【００５０】
雄型コネクタ５３によって、対になった配線５２が纏められている。図５及び図６に示すように、各雄型コネクタ５３は６個の光源ユニット４０の雌型コネクタ４３にそれぞれ接続してある。雌型コネクタ４３は開口１７ａから露出しているので、作業者は容易に雄型コネクタ５３を雌型コネクタ４３に接続し、また雌型コネクタ４３から取り外すことができる。
【００５１】
次に光源ユニット４０の回路構成について説明する。図７は光源ユニット４０の回路構成を略示する回路図である。
図７に示すように、配線５２はアノード線５２ａ及びカソード線５２ｂを備える。ＬＥＤ４２、４２、・・・、４２は直列に接続してある。二つの雌型コネクタ４３、４３はＬＥＤ４２の列のアノード側端子及びカソード側端子に並列に接続している。二つの雌型コネクタ４３、４３の構成は同じである。
【００５２】
雌型コネクタ４３、４３はＬＥＤ４２の列に並列に（換言すれば互いに独立して）接続しているので、作業者はいずれかの雌型コネクタ４３に雄型コネクタ５３を接続すればよい。二つの雌型コネクタの構成が異なる場合、それぞれの雌型コネクタに対応した雄型コネクタを使用する必要がある。この場合、作業者が対応関係にない雌型コネクタに雄型コネクタを誤って挿入するおそれがある。
【００５３】
実施の形態１に係る光源ユニット４０は、前述したように、二つの雌型コネクタ４３、４３の構成は同じであり且つ雌型コネクタ４３、４３はＬＥＤ４２の列に並列に接続しているので、作業者は雄型コネクタ５３を雌型コネクタ４３に誤挿入しない。
【００５４】
また二つの雌型コネクタ４３が単一の開口１７ａから露出するようにしてあるので、コネクタの数に対し、開口の数を削減することができ、リヤシャーシ１７に開口１７ａを形成する加工費用を削減することができ、また多数の開口１７ａにおいて配線５２の接続作業を行う場合よりも、少数の開口１７ａにおいて配線５２の接続作業を行う方が、より迅速な作業を実現することができる。
【００５５】
なおリヤシャーシ１７の横縁部分に沿って並設してある三つの光源ユニット４０において、中央に位置する光源ユニット４０は、その両端部に位置する二つの雌型コネクタ４３が二つの開口１７ａからそれぞれ露出しているが、いずれか一方の雌型コネクタ４３に雄型コネクタ５３が接続していればよい。いずれか一方の雌型コネクタ４３に雄型コネクタ５３が接続していれば、基板４１に実装された発光ダイオード４２の動作を駆動回路５０は制御することができる。そのため作業者は、駆動回路５０の位置に応じてより簡単な接続を行える雌型コネクタ４３に雄型コネクタ５３を接続すればよく、接続作業の効率を向上させることができる。駆動回路５０は、光源ユニット４０毎に独立して発光ダイオード４２の動作を制御することができる。
【００５６】
なお隣接する二つの基板４１において、一方の基板４１の最端部に実装してある発光ダイオード４２と他方の基板４１の最端部に実装してある発光ダイオード４２とが隣接しており、両発光ダイオード４２、４２間の距離は、基板４１の中途部にて隣接する発光ダイオード４２、４２間の距離と略同じである。そのため略均一な光量で光源ユニット４０は導光板１１に光を出射することができ、表示パネル１０に輝度ムラが発生し難い。
【００５７】
上述したテレビジョン受信機１にあっては、発光ダイオード４２と共に雌型コネクタ４３を前記基板４１に実装するので、光源ユニット４０を短時間で製造することができる。また雌型コネクタ４３を発光ダイオード４２の列から外して基板４１の一面に実装し、略均一な光量で光源ユニット４０から光を出射して、表示パネル１０に暗部が生じることを防止することができる。すなわち製造費用の削減及び暗部発生防止を両立することができる。
【００５８】
また前記基板４１の一縁側に対向する他縁側には光源を配していないので、前記他縁部分から光源にて発生した熱が放出され、放熱効率が向上する。また基板４１の両端部にコネクタを設けているので、いずれかのコネクタに配線５２を接続すればよく、配線５２の位置に拘わらず、配線５２の取り回しが容易になる。また一種類の基板４１を製造すれば足り、二種類の基板４１を製造する場合に比べて、製造費用が削減される。
【００５９】
またリヤシャーシ１７の正面側に配置された雌型コネクタ４３を開口１７ａから背面側に露出させて、リヤシャーシ１７の背面側に支持された駆動回路５０と雌型コネクタ４３とを配線５２を介して容易に接続する。開口１７ａから雌型コネクタ４３が露出していない場合、作業者はリヤシャーシ１７を取り付ける前に狭小な空間に配線５２を引き回して光源ユニット４０と駆動回路５０とを接続する必要があり、作業に長時間を要する。しかし本実施例においては開口１７ａを介して雌型コネクタ４３が露出しているので、リヤシャーシ１７の取付後、容易且つ短時間に駆動回路５０と光源ユニット４０とを接続することができる。
【００６０】
従来コネクタはリヤシャーシ１７から露出しておらず、テレビジョン受信機１の内部に位置していた。そのためコネクタを誤って配線した場合、リヤシャーシ１７、導光板１１、光学シート１２等を全て取り外してから、コネクタを接続し直す必要があった。本実施例においてはコネクタを誤って配線したとしても、コネクタだけを接続し直せばよく、誤配線に対する修正を容易に実現することができる。
【００６１】
また発光ダイオード４２及び雌型コネクタ４３を基板４１に表面実装しているので、同じリフロー工程で両者を実装することができ、製造費用の削減を実現することができる。
【００６２】
また従来はリヤシャーシ１７の組立前に、配線５２を雌型コネクタ４３に接続する作業を行っていたため、狭いスペースに配線５２を通す必要があったことから作業性が悪く、線の噛み込みなどの不具合懸念があったが、本実施例においては、リアシャーシ１７を組み立てた後に配線５２の接続作業が出来るようになるため、作業性が改善され、更に上述した懸念を払拭することができる。
【００６３】
従来の配線は四隅に限定されていたが、本実施例においては、四隅に限定されず、機構設計の自由度を上げることができる。また従来は配線の取付のために、導光板の四隅を切断する加工を行っていたが、そのような加工が不要となる。また四隅に配線取付用のスペースを確保する必要がなく、そのようなスペースを確保したために、表示パネル１０における輝度が四隅で低下することがない。
【００６４】
なお基板４１の非実装部分にバーコードを付しているが、発光ダイオード４２の保護回路、一の基板４１に実装された複数の発光ダイオード４２をエリア制御若しくは個別制御するための複数のチャンネルを有する回路又はＬＥＤ４２の接続異常を検出する異常検出回路等を非実装部分に実装してもよい。
【００６５】
図８は異常検出回路の構成を略示する回路図である。配線５２は、アノード線５２ａ及びカソード線５２ｂに加えて異常検出線５２ｃを備える。雌型コネクタ４３は異常検出線５２ｃを接続する検出端子を有する。なおテレビジョン受信機１はＣＰＵ、ＲＯＭ、ＲＡＭ等を有する制御部（図示略）を備える。
【００６６】
基板４１の非実装部分に、異常検出回路４６が実装してある。異常検出回路４６は電流検出抵抗４６ａ及び算出回路４６ｂを備える。電流検出抵抗４６ａは雌型コネクタ４３のカソード側端子とＬＥＤ４２の列のカソード端子とに介装してある。算出回路４６ｂは電流検出抵抗４６ａの両端に接続しており、また雌型コネクタ４３の検出端子に接続している。
【００６７】
算出回路４６ｂは電流検出抵抗４６ａに印加された電圧を検出し、検出した電圧と電流検出抵抗４６ａの抵抗値とに基づいて、電流を算出する。算出回路４６ｂは算出した電流値を設定値と比較し、比較結果を雌型コネクタ４３の検出端子に出力する。例えば、算出した電流値が設定値と同じか又は設定値から所定範囲内にある場合、正常を示す比較結果を出力し、これに該当しない場合、異常を示す比較結果を出力する。
【００６８】
該検出端子から異常検出線５２ｃを経て比較結果が制御部に入力される。制御部は比較結果に基づいて光源ユニット４０の異常の有無を判定することができる。基板４１を幅広に作成することによって所望の回路を容易に実装することができる。
【００６９】
また本実施形態は、後キャビネット３０がリヤシャーシ１７の全体を覆う構成であるが、後キャビネット３０は上半分を覆っていない形で構成してもよい。この場合、配線５２の接続は、リヤシャーシ１７に縦方向に沿って設けたセンターアングル（補強体）の中を通すようにし、雌型コネクタ４３と配線５２との接続部分には、最低限の大きさで覆うカバーを設けることが考えられる。このような構成にすることによって、テレビジョン受信機１の上部は、後キャビネット３０の不存在によって薄くなり、外観意匠性の向上及び軽量化を図ることができ、また材料費低減による製造費用の削減を実現することができる。
【００７０】
また導光板１１の一縁部分に対向する光源ユニット４０の個数は三つに限定されず、二つ以下又は四つ以上であってもよい。例えば、本実施例ではテレビジョン受信機１の光源ユニット４０を共通化して１種類としているが、他のサイズのテレビジョン受信機と共通化する事も可能である。例えば６４型のテレビジョン受信機なら、３２型のテレビジョン受信機に使用する光源を２本使用すること等が考えられる。また一のサイズのテレビジョン受信機に、異なる種類の基板を有する複数種類の光源ユニットを使用する必要がある場合でも、他のサイズのテレビジョン受信機を含め、各サイズのテレビジョン受信機を総合して考慮すれば、光源ユニットの種類を削減する事ができる。
【００７１】
（実施の形態２）
以下本発明に係るテレビジョン受信機１を実施の形態２を示す図面に基づいて詳述する。図９は光源ユニット４０を略示する平面図である。図９に示すように、基板４１はその両端部に、発光ダイオード４２の並設方向に直角な方向に突出した突出部４１ａ、４１ａをそれぞれ備える。各突出部４１ａに雌型コネクタ４３が実装してある。雌型コネクタ４３が開口１７ａから露出するように、光源ユニット４０は前キャビネット２０内に配置される。
【００７２】
実施の形態２に係るテレビジョン受信機１にあっては、基板４１における雌型コネクタ４３を実装してある部分が突出しているので、開口１７ａから雌型コネクタ４３を容易に露出させることができる。また雌型コネクタ４３を実装していない部分は突出していないので、基板４１の製造費用の上昇を抑制することができる。
【００７３】
実施の形態２に係る構成の内、実施の形態１と同様な構成については同じ符号を付し、その詳細な説明を省略する。
【００７４】
（実施の形態３）
以下本発明に係るテレビジョン受信機１を実施の形態３を示す図面に基づいて詳述する。図１０は光源ユニット４０を略示する側面図、図１１は光源ユニット４０を略示する平面図である。図１０及び図１１に示すように、基板４１の両端部において、他面（発光ダイオード４２が実装されていない側の面）に雌型コネクタ４３がそれぞれ実装してある。雌型コネクタ４３を基板４１の他面に実装しているので、光源ユニット４０から出射される光の光量が雌型コネクタ４３によって不均一になることを回避することができ、略均一な光量で光源ユニット４０から光を出射し、表示パネル１０に暗部が生じることを防止することができる。
【００７５】
実施の形態３に係る構成の内、実施の形態１又は２と同様な構成については同じ符号を付し、その詳細な説明を省略する。
【００７６】
上述したテレビジョン受信機１にあっては、雌型コネクタ４３を基板４１の両端部に実装しているが、基板４１の中途部に実装してもよい。この場合、雌型コネクタ４３の位置に対応させて、基板４１の中途部を突出させるか又は開口１７ａをリヤシャーシ１７に設ければよい。また発光ダイオード４２に代えて、ＬＤ(Laser Diode)、ＥＬ(EledtroLuminescence)等他の光源を実装してもよい。
【００７７】
（実施の形態４）
以下本発明を実施の形態４に係るテレビジョン受信機１を示す図面に基づいて詳述する。図１２はテレビジョン受信機１を略示する部分拡大断面図である。図１２は図３に対応する。
【００７８】
図１２に示すように、雌型コネクタ４３は基板４１の一面に垂直に実装してある。雌型コネクタ４３には基板４１に垂直な方向（上下方向）に沿って雄型コネクタ５３が接続してある。雌型コネクタ４３は上下方向に突出している。作業者は開口１７ａを通して雄型コネクタ５３を上下方向に沿って雌型コネクタ４３に容易に接続し、また雌型コネクタ４３から取り外すことができる。
【００７９】
実施の形態４に係る構成の内、実施の形態１〜３と同様な構成については同じ符号を付し、その詳細な説明を省略する。
【００８０】
（実施の形態５）
以下本発明を実施の形態５に係るテレビジョン受信機１を示す図面に基づいて詳述する。図１３は光源ユニット４０を略示する平面図である。
【００８１】
図１３に示すように、基板４１は、長手方向中央部に発光ダイオード４２の並設方向に直角な方向に突出した突出部４１ｂを備える。突出部４１ｂに雌型コネクタ４３が実装してある。
【００８２】
光源ユニット４０は前キャビネット２０内に配置されている。リヤシャーシ１７には、突出部４１ｂに対向する位置に開口１７ａが設けてあり、雌型コネクタ４３は開口１７ａから露出する。
【００８３】
実施の形態５に係るテレビジョン受信機１にあっては、基板４１の長手方向中央部に突出部４１ｂを形成し、該突出部４１ｂに単一の雌型コネクタ４３を実装しているので、雌型コネクタ４３を削減し、光源ユニット４０の簡素化を実現することができる。
【００８４】
実施の形態５に係る構成の内、実施の形態１〜４と同様な構成については同じ符号を付し、その詳細な説明を省略する。
【００８５】
以上説明した実施の形態は本発明の例示であり、本発明は特許請求の範囲に記載された事項及び特許請求の範囲の記載に基づいて定められる範囲内において種々変更した形態で実施することができる。
【符号の説明】
【００８６】
１  テレビジョン受信機
１０  表示パネル
１１  導光板
１７  リヤシャーシ（支持板）
１７ａ  開口
４０  光源ユニット
４１  基板
４２  発光ダイオード（光源）
４３  雌型コネクタ（コネクタ）
５０  駆動回路（駆動部）
５３  雄型コネクタ
５２  配線
１００  表示装置
２００  チューナ（受信部）
【図１】
2013179027.tif 000003
【図２】
2013179027.tif 000004
【図３】
2013179027.tif 000005
【図４】
2013179027.tif 000006
【図５】
2013179027.tif 000007
【図６】
2013179027.tif 000008
【図７】
2013179027.tif 000009
【図８】
2013179027.tif 000010
【図９】
2013179027.tif 000011
【図１０】
2013179027.tif 000012
【図１１】
2013179027.tif 000013
【図１２】
2013179027.tif 000014
【図１３】
2013179027.tif 000015